(57)【要約】      （修正有）【課題】マルチパス干渉を抑えることができるファンアウト部品を提供する。【解決手段】ファンアウト部品１Ａは、複数のシングルコアファイバ１１の一端部を一括して収納するコネクタ２０と、複数のシングルコアファイバ１１の他端部を個別に収納する３０と、複数のシングルコアファイバ１１の一端部と他端部との間に設けられたクラッドモード光放出部１３とを備える。各シングルコアファイバ１１は、アダプタ４０を介してコネクタ２０に接続されるマルチコアファイバの各コアに光学的に結合されるコアを有する。【選択図】図１
2016061944.tif 000002
【特許請求の範囲】
【請求項１】
マルチコアファイバの複数の第１コアそれぞれに光学的に結合される第２コアを各々有する複数のシングルコアファイバを備えるファンアウト部品であって、
前記複数のシングルコアファイバの一端部を一括して収納する第一端と、
前記複数のシングルコアファイバの他端部を個別に収納するフェルール３２と、
前記複数のシングルコアファイバの前記一端部と前記他端部との間に設けられたクラッドモード光放出部と、
を備える、ファンアウト部品。
【請求項２】
前記第一端は、前記複数のシングルコアファイバの前記一端部を一括して収納する孔を有し、
前記孔は、前記第２コア同士の第２ピッチを前記第１コア同士の第１ピッチに適合させる細径部と、前記第１ピッチよりも大きいピッチにて前記複数のシングルコアファイバを保持する太径部と、前記細径部と前記太径部との間において前記第２ピッチを変化させる中間部とを有し、
前記クラッドモード光放出部は、前記複数のシングルコアファイバのうち前記中間部に位置する部分と前記他端部との間に設けられている、請求項１に記載のファンアウト部品。
【請求項３】
前記複数のシングルコアファイバの前記一端部と前記他端部との間の部分を収容するパッケージを更に備え、
前記クラッドモード光放出部は、前記パッケージ内において前記複数のシングルコアファイバが巻回された部分を含む、請求項１または２に記載のファンアウト部品。
【請求項４】
前記クラッドモード光放出部における前記複数のシングルコアファイバの曲げ半径が５ｍｍ以上１０ｍｍ以下である、請求項３に記載のファンアウト部品。
【請求項５】
前記クラッドモード光放出部は、前記複数のシングルコアファイバのクラッド表面に形成された溝及び粗面のうち少なくとも一方を含む、請求項１または２に記載のファンアウト部品。
【発明の詳細な説明】
【技術分野】
【０００１】
本発明は、ファンアウト部品に関するものである。
【背景技術】
【０００２】
特許文献１には、マルチコアファイバに接続されるファンアウトモジュールが記載されている。このファンアウトモジュールは、マルチコアファイバのコア数に対応する本数のシングルコアファイバを備えている。そして、マルチパス干渉を抑制するために、各シングルコアファイバのクラッドは、光吸収ドーパントを含む光吸収層を有する。
【先行技術文献】
【特許文献】
【０００３】
【特許文献１】特開２０１３−２０５７６０号公報
【発明の概要】
【発明が解決しようとする課題】
【０００４】
マルチコアファイバを実用化するには、マルチコアファイバの複数のコアそれぞれをシングルコアファイバによって分岐する「ファンアウト」が不可欠である。ファンアウト部品としては、例えば、複数のシングルコアファイバを束ねてファイババンドルとし、該ファイババンドルの先端部をフェルールの孔に挿入して接着固定するものがある。
【０００５】
しかしながら、マルチコアファイバにファンアウト部品を接続する際、全てのコア同士を軸ずれなく合わせることは極めて困難である。従って、いずれかのシングルコアファイバにおいてコアの軸ずれにより漏れ光がクラッドに入射すると、その漏れ光がクラッド内に閉じこめられて伝搬する。シングルコアファイバが十分に長い場合には、そのような光は長い距離を伝搬するに従いシングルコアファイバの被覆樹脂に吸収されるので問題とはならない。しかし、ファンアウト部品においてはシングルコアファイバに十分な長さを確保することが難しく、そのような光の多くが吸収されずに出射端に到達し、コアを伝搬した光とクラッドを伝搬した光とが再結合してマルチパス干渉が発生してしまう。
【０００６】
このような問題に対し、特許文献１に記載されたファンアウトモジュールではクラッドに光吸収体がドープされており、クラッド内を伝送される漏れ光を減衰させることによってマルチパス干渉を抑えている。しかし、複数のシングルコアファイバを束ねてファイババンドルとする際、各シングルコアファイバに曲げが付与される。光吸収体がドープされたファイバの強度は通常のファイバと比較して低いので、このような曲げがシングルコアファイバの損傷原因となってしまう。
【０００７】
本発明は、このような問題点に鑑みてなされたものであり、マルチパス干渉を抑えることができるファンアウト部品を提供することを目的とする。
【課題を解決するための手段】
【０００８】
上述した課題を解決するために、本発明によるファンアウト部品は、マルチコアファイバの複数の第１コアそれぞれに光学的に結合される第２コアを各々有する複数のシングルコアファイバを備えるファンアウト部品であって、複数のシングルコアファイバの一端部を一括して収納する第一端と、複数のシングルコアファイバの他端部を個別に収納する第二端と、複数のシングルコアファイバの一端部と他端部との間に設けられたクラッドモード光放出部とを備える。
【発明の効果】
【０００９】
本発明によるファンアウト部品によれば、マルチパス干渉を抑えることができる。
【図面の簡単な説明】
【００１０】
【図１】図１は、本発明の一実施形態に係るファンアウト部品の構成を示す図である。
【図２】図２は、ファンアウト部品が備えるファイバ群及びコネクタの外観を示す図である。
【図３】図３は、フェルールにおけるファイバ群の形態を示す斜視図である。
【図４】図４（ａ）は、アダプタの他方の開口に挿入されるマルチコアファイバ及びフェルールの、中心軸線に垂直な切断面における断面図である。図４（ｂ）は、アダプタの一方の開口に挿入されるファイババンドル及びフェルールの、中心軸線に垂直な切断面における断面図である。
【図５】図５は、フェルールの中心軸線に沿った断面を示す図である。
【図６】図６は、コネクタが有するフェルールの光軸方向に垂直な断面形状を示す図である。
【図７】図７（ａ）は、低曲げ損失ファイバの断面形状の一例を示す図である。図７（ｂ）は、低曲げ損失ファイバの屈折率分布の一例を示す図である。
【図８】図８（ａ）は、第１変形例に係るファンアウト部品の構成を示す図である。図８（ｂ）は、図８（ａ）の一部を拡大して示す断面図である。
【図９】図９は、第２変形例に係るファンアウト部品の構成を示す図である。
【発明を実施するための形態】
【００１１】
［本願発明の実施形態の説明］
最初に、本願発明の実施形態の内容を列記して説明する。（１）本願発明によるファンアウト部品は、マルチコアファイバの複数の第１コアそれぞれに光学的に結合される第２コアを各々有する複数のシングルコアファイバを備えるファンアウト部品であって、複数のシングルコアファイバの一端部を一括して収納する第一端と、複数のシングルコアファイバの他端部を個別に収納する第二端と、複数のシングルコアファイバの一端部と他端部との間に設けられたクラッドモード光放出部とを備える。このファンアウト部品においてシングルコアファイバのクラッドに漏れ光が入射してクラッドモード光が生じると、その漏れ光はクラッドモード光放出部においてシングルコアファイバの外部へ強制的に放出される。従って、シングルコアファイバの出射端に達する漏れ光が低減されるので、マルチパス干渉を抑えることができる。
【００１２】
（２）第一端は、複数のシングルコアファイバの一端部を一括して収納する孔を有し、孔は、第２コア同士の第２ピッチを第１コア同士の第１ピッチに適合させる細径部と、第１ピッチよりも大きいピッチにて複数のシングルコアファイバを保持する太径部と、細径部と太径部との間において第２ピッチを変化させる中間部とを有し、クラッドモード光放出部は、複数のシングルコアファイバのうち中間部に位置する部分と他端部との間に設けられてもよい。クラッドモード光は、マルチコアファイバとシングルコアファイバとの軸ずれ以外に、例えばシングルコアファイバの曲げ部分においても発生する。例えば、第２コア間のピッチが軸方向に変化するような構造をファンアウト部品が有する場合には、該ピッチが変化している部分においてシングルコアファイバに曲げが生じ、その部分においてクラッドモード光が生じる。従って、クラッドモード光放出部は、ピッチが変化する中間部と、他端部との間に設けられるとよい。これにより、中間部において生じるクラッドモード光を効果的に放出し、マルチパス干渉を更に抑えることができる。
【００１３】
（３）ファンアウト部品は、複数のシングルコアファイバの一端部と他端部との間の部分を収容するパッケージを更に備え、クラッドモード光放出部は、パッケージ内において複数のシングルコアファイバが巻回された部分を含んでもよい。このような構成によって、クラッドモード光を効果的に放出することができる。（４）この場合、クラッドモード光放出部における複数のシングルコアファイバの曲げ半径は５ｍｍ以上１０ｍｍ以下であることが好ましい。シングルコアファイバがこのように小さな曲げ半径を有することによって、クラッドモード光を効果的に放出することができる。
【００１４】
（５）或いは、クラッドモード光放出部は、複数のシングルコアファイバのクラッド表面に形成された溝及び粗面のうち少なくとも一方を含んでもよい。このような構成によっても、クラッドモード光を効果的に放出することができる。
【００１５】
［本願発明の実施形態の詳細］
本発明の実施形態に係るファンアウト部品の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１６】
図１は、本発明の一実施形態に係るファンアウト部品１Ａの構成を示す図である。図２は、ファンアウト部品１Ａが備えるファイバ群１０、コネクタ２０及び３０の外観を示す図である。図１及び図２に示されるように、ファンアウト部品１Ａは、複数のシングルコアファイバ１１を含むファイバ群１０と、コネクタ２０及び３０と、アダプタ４０及び５０と、これらを収容するパッケージ６０とを備える。
【００１７】
コネクタ２０は、ファイバ群１０の一端に取り付けられている。コネクタ２０は、いわゆるＳＣコネクタといった外形を有し、筐体２１及びフェルール２２を有する。筐体２１は、アダプタ４０の一方の開口４１に対して着脱可能に嵌合する。フェルール２２は筐体２１の先端面から先方に僅かに突出して設けられている。フェルール２２は、ファイバ群１０の一端部を保持するとともに、アダプタ４０の他方の開口４２に挿入されるマルチコアファイバの先端部に取り付けられたフェルールと当接する。
【００１８】
図３は、フェルール２２におけるファイバ群１０の形態を示す斜視図であって、フェルール２２を仮想線で示している。フェルール２２は、本実施形態における第一端であり、略円柱形状といった外観を有する。また、フェルール２２は、該円柱の中心軸線に沿って延びる孔２３を有する。孔２３にはファイバ群１０の一端部が挿入され、孔２３は、ファイバ群１０に含まれる複数のシングルコアファイバ１１を一括して収納する。すなわち、複数のシングルコアファイバ１１の一端部は、束ねられてファイババンドル１２を構成する。ファイバ群１０の端面１０ａは、フェルール２２の一方の端面２２ａと面一となっている。複数のシングルコアファイバ１１は被覆１４をそれぞれ有するが、孔２３に挿入された部分については被覆１４は除去されている。
【００１９】
ここで、図４（ａ）は、アダプタ４０の開口４２に挿入されるマルチコアファイバ７１及びフェルール７２の、中心軸線に垂直な切断面における断面図である。また、図４（ｂ）は、アダプタ４０の開口４１に挿入されるファイババンドル１２及びフェルール２２の、中心軸線に垂直な切断面（図３におけるIV−IV断面）における断面図である。
【００２０】
図４（ａ）に示されるように、マルチコアファイバ７１は、複数のコア（第１コア）７１ａと、該複数のコア７１ａを囲むクラッド７１ｂとを有する。クラッド７１ｂの断面は円形であり、一例では、複数のコア７１ａのうち一つは該円形の中心に位置し、他は該中心から等距離であり且つ互いに等間隔となる位置に配置されている。フェルール７２は、略円柱形状といった外観を有しており、該円柱の中心軸線に沿って延びる孔７３を有する。孔７３にはマルチコアファイバ７１の一端部が挿入され、孔７３はマルチコアファイバ７１を収納する。マルチコアファイバ７１と孔７３の内面との間には、接着剤７４が介在している。
【００２１】
図４（ｂ）に示されるように、ファイババンドル１２の複数のシングルコアファイバ１１は、コア１１ａ（第２コア）と、コア１１ａを囲むクラッド１１ｂとをそれぞれ有する。各コア１１ａは、マルチコアファイバ７１の複数のコア７１ａそれぞれと光学的に結合される。複数のシングルコアファイバ１１は互いに接しており、各シングルコアファイバ１１同士の隙間、及び各シングルコアファイバ１１と孔２３の内面との隙間には、接着剤２４が介在している。各シングルコアファイバ１１は、各コア１１ａがマルチコアファイバ７１の各コア７１ａ（図４（ａ）を参照）と一対一で対応するように配列されている。
【００２２】
図５は、フェルール２２の中心軸線に沿った断面を示す図である。図５に示されるように、本実施形態の孔２３は、細径部２３ａと、太径部２３ｂと、中間部２３ｃとを有する。細径部２３ａは、孔２３の端面２２ａ寄りの部分に形成され、コア１１ａ同士の中心間隔（第２ピッチ）を、コア７１ａ同士の中心間隔（第１ピッチ）に適合させる。太径部２３ｂは、細径部２３ａよりも大きな内径を有しており、該第１ピッチよりも大きいピッチにて複数のシングルコアファイバ１１を保持する。中間部２３ｃは、細径部２３ａと太径部２３ｂとの間に設けられており、その内径が細径部２３ａ側から太径部２３ｂ側へ徐々に拡がるテーパー状を呈している。中間部２３ｃは、コア１１ａ同士の中心間隔（第２ピッチ）を、細径部２３ａのピッチから太径部２３ｂのピッチへ徐々に変化させる。
【００２３】
再び図１及び図２を参照する。アダプタ４０はパッケージ６０の一対の側壁６１，６２のうち一方（側壁６１）に取り付けられている。アダプタ４０の開口４１はパッケージ６０の内側に位置し、アダプタ４０の開口４２はパッケージ６０の外側に位置する。アダプタ４０は、図示しない円筒スリーブを有する。該円筒スリーブの一方の開口にフェルール２２が挿入され、他方の開口にフェルール７２（図４参照）が挿入される。これにより、フェルール２２とフェルール７２との軸合わせが行われる。
【００２４】
コネクタ３０は、ファイバ群１０の他端に取り付けられている。コネクタ３０は、例えば多芯コネクタであるＭＴコネクタやＭＰＯコネクタといった構造を有する。コネクタ３０は、アダプタ５０の一方の開口５１に対して着脱可能に嵌合する。コネクタ３０は、複数のシングルコアファイバ１１を保持するフェルールを有する。図６は、コネクタ３０が有するフェルール３２の光軸方向に垂直な断面形状を示す図である。フェルール３２は、本実施形態における第二端であり、複数のシングルコアファイバ１１の他端部をそれぞれ個別に収納する複数の孔３３を有する。複数の孔３３は、例えば一列に並んで配置されている。フェルール３２は、アダプタ５０の他方の開口５２に挿入される多芯コネクタのフェルールと当接する。なお、孔３３の列の両端に形成されている孔３４には、フェルール同士の位置合わせのためのガイドピンが挿入される。
【００２５】
アダプタ５０は、パッケージ６０の一対の側壁６１，６２のうち他方（側壁６２）に取り付けられている。アダプタ５０の開口５１はパッケージ６０の内側に位置し、アダプタ５０の開口５２はパッケージ６０の外側に位置する。アダプタ５０は、開口５１から挿入されるフェルール３２と、開口５２から挿入される他のフェルールとの位置決めを行う。
【００２６】
ファイバ群１０は、クラッドモード光放出部１３を有する。クラッドモード光放出部１３は、複数のシングルコアファイバ１１のうち、細径部２３ａ（図５を参照）に収納された一端部とフェルール３２（図６を参照）に収納された他端部との間に設けられている。より好ましくは、クラッドモード光放出部１３は、複数のシングルコアファイバ１１のうち中間部２３ｃ（図５を参照）に収納された部分と他端部との間に設けられる。複数のシングルコアファイバ１１の一端部と他端部との間の部分はパッケージ６０に収容されているので、言い換えれば、クラッドモード光放出部１３はパッケージ６０の内部に設けられている。本実施形態のクラッドモード光放出部１３は、コネクタ２０とコネクタ３０との間の部分に設けられている。
【００２７】
クラッドモード光放出部１３は、複数のシングルコアファイバ１１が巻回された部分１３ａを含む。このように複数のシングルコアファイバ１１が巻回されることにより各シングルコアファイバ１１に曲げが付与されるので、シングルコアファイバ１１のクラッド１１ｂを伝搬する光（クラッドモード光）がシングルコアファイバ１１の外部へ効果的に放出される。
【００２８】
クラッドモード光を外部へ効率よく放出するためには、巻回部分１３ａにおけるシングルコアファイバ１１の曲げ半径は小さいほど良い。しかしながら、曲げ半径を小さくし過ぎると、本来伝えるべきコア１１ａを伝搬する光も漏れてしまい、光損失が生じてしまう。このようなトレードオフを解決するためには、シングルコアファイバ１１として曲げに強い光ファイバ、すなわち低曲げ損失ファイバ（例えば、住友電気工業製ＰｕｒｅＡｃｃｅｓｓ−Ｒ５）を用いるとよい。この場合、シングルコアファイバ１１の曲げ半径は５ｍｍまで許容されるので、例えばシングルコアファイバ１１の曲げ半径を例えば５ｍｍ以上１０ｍｍ以下といった小さな値とすることができる。
【００２９】
図７（ａ）は、低曲げ損失ファイバの断面形状の一例を示す図である。また、図７（ｂ）は、低曲げ損失ファイバの屈折率分布の一例を示す図である。図７（ｂ）に示されるように、低曲げ損失ファイバ１７は、ステップ状屈折率分布を有する。そのために、図７（ａ）に示されるように、低曲げ損失ファイバ１７は、コア１７ａ、クラッド１７ｂ、トレンチ層１７ｃ、及びサポート層１７ｄを有する。クラッド１７ｂ及びサポート層１７ｄの屈折率を基準とすると、コア１７ａが突出した高屈折率部分となっている一方、トレンチ層１７ｃが大きく没入した低屈折率部分となっている。具体的には、コア１７ａの屈折率は例えば１．４６１〜１．４６３である。クラッド１７ｂの屈折率は例えば１．４５５〜１．４５７である。トレンチ層１７ｃの屈折率は例えば１．４４９〜１．４５１である。サポート層１７ｄの屈折率は例えば１．４５５〜１．４５７である。
【００３０】
以上に説明した本実施形態のファンアウト部品１Ａによれば、次の効果を奏することができる。すなわち、ファンアウト部品１Ａは、複数のシングルコアファイバ１１の一端部を一括して収納するフェルール２２（第一端）と、複数のシングルコアファイバ１１の他端部を個別に収納するフェルール３２（第二端）と、複数のシングルコアファイバ１１の一端部と他端部との間に設けられたクラッドモード光放出部１３とを備える。このファンアウト部品１Ａにおいてシングルコアファイバ１１のクラッドに漏れ光が入射してクラッドモード光が生じると、その漏れ光はクラッドモード光放出部１３においてシングルコアファイバ１１の外部へ強制的に放出される。従って、シングルコアファイバ１１の出射端に達する漏れ光が低減されるので、マルチパス干渉を抑えることができる。
【００３１】
また、ファンアウト部品１Ａがクラッドモード光放出部１３を備えることにより、複数のシングルコアファイバ１１の長さを確保しつつ、ファンアウト部品１Ａを小型化することが可能となる。そして、複数のシングルコアファイバ１１の長さを確保することにより、他端部において複数のシングルコアファイバ１１の配列を揃えることが容易になり、シングルコアファイバ１１にコネクタ３０を取り付ける際の作業性が向上する。
【００３２】
また、本実施形態のフェルール２２の孔２３は、細径部２３ａ、太径部２３ｂ、及び中間部２３ｃを有し、クラッドモード光放出部１３は、複数のシングルコアファイバ１１のうち中間部２３ｃに位置する部分と他端部との間に設けられている。クラッドモード光は、マルチコアファイバ７１とシングルコアファイバ１１との軸ずれ以外に、例えばシングルコアファイバ１１の曲げ部分においても発生する。例えば、コア１１ａ間のピッチが軸方向に変化するような構造をファンアウト部品１Ａが有する場合には、該ピッチが変化している部分においてシングルコアファイバ１１に曲げが生じ、その部分においてクラッドモード光が生じる。従って、クラッドモード光放出部１３は、ピッチが変化する中間部２３ｃと、他端部との間に設けられるとよい。これにより、中間部２３ｃにおいて生じるクラッドモード光を効果的に放出し、マルチパス干渉を更に抑えることができる。
【００３３】
また、本実施形態のクラッドモード光放出部１３は、パッケージ６０内において複数のシングルコアファイバ１１が巻回された部分１３ａを含む。このような構成によって、クラッドモード光を効果的に放出することができる。この場合、複数のシングルコアファイバ１１の曲げ半径が５ｍｍ以上１０ｍｍ以下といった小さな値であることによって、クラッドモード光を効果的に放出することができる。
【００３４】
また、本実施形態では、複数のシングルコアファイバ１１の他端部に、多芯コネクタであるコネクタ３０が取り付けられている。これにより、例えば後述する第２変形例のように複数の単芯コネクタを用いる場合と比較して、ファンアウト部品１Ａの小型化、及びコネクタの抜き差し作業効率の向上を図ることができる。また、多数の単芯コネクタを用いる場合、多数のアダプタをパッケージ側面に並べて取り付けることとなるので、シングルコアファイバの長さを或る程度長くする必要がある。従って、ファンアウト部品の小型化を妨げてしまう。これに対し、本実施形態のように多芯コネクタを用いることでシングルコアファイバ１１の長さを短くでき、結果としてファンアウト部品１Ａの小型化が可能となる。
【００３５】
また、本実施形態では、パッケージ６０にアダプタ４０，５０が取り付けられ、アダプタ４０，５０にコネクタ２０，３０が挿入される。このような構成により、パッケージ６０への複数のシングルコアファイバ１１の収納が容易となる。
【００３６】
なお、ファンアウト部品１Ａを小型化するための方法として、コネクタ２０，３０を小型化することも有効である。コネクタ２０，３０の大きさを規定する主な構成要素は、コネクタ２０，３０に内蔵されているＰＣ（フィジカルコンタクト）接続のための押圧用バネである。しかし、通常は、アダプタの逆側から挿入されるコネクタにも押圧用バネが内蔵されている。従って、パッケージ６０の内側に位置するコネクタ２０，３０の押圧用バネは省かれてもよい。これにより、ファンアウト部品１Ａを更に小型化することができる。或いは、アダプタとバネ無しコネクタとが一体化された、いわゆるレセプタクルが用いられてもよい。
【００３７】
（第１の変形例）
上記実施形態の第１変形例について説明する。図８（ａ）は、本変形例に係るファンアウト部品１Ｂの構成を示す図であり、図８（ｂ）は、ファンアウト部品１Ｂが備えるシングルコアファイバ１１の一部を拡大して示す断面図である。このファンアウト部品１Ｂは、上記実施形態のクラッドモード光放出部１３に代えて、クラッドモード光放出部１５を備えている。クラッドモード光放出部１５は、複数のシングルコアファイバ１１のクラッド１１ｂの表面に形成された溝１１ｃを含む。溝１１ｃは、例えばレーザ加工によって好適に形成される。クラッドモード光放出部１５は、シングルコアファイバ１１のうち細径部２３ａ（図５を参照）に収納された一端部とフェルール３２（図６を参照）に収納された他端部との間に設けられる。より好ましくは、クラッドモード光放出部１５は、複数のシングルコアファイバ１１のうち中間部２３ｃ（図５を参照）に収納された部分と他端部との間に設けられる。本変形例のクラッドモード光放出部１５は、フェルール２２の孔２３の内部、例えば太径部２３ｂ内に位置する部分に設けられている。
【００３８】
クラッドモード光放出部の形態は上記実施形態に限られず、例えば本変形例のような構成であっても、クラッドモード光を効果的に放出することができる。また、中間部２３ｃではシングルコアファイバ１１に曲げ応力が加わっているので、溝１１ｃが中間部２３ｃの後方に設けられることによって、シングルコアファイバ１１の損傷を防止できる。なお、クラッドモード光を放出できる構造であれば溝１１ｃ以外にも様々な構造が可能である。たとえば、シングルコアファイバ１１のクラッド１１ｂの表面を粗面化したような形状でもよく、これらの形状が組み合わされても良い。
【００３９】
（第２の変形例）
上記実施形態の第２変形例について説明する。図９は、本変形例に係るファンアウト部品１Ｃの構成を示す図である。このファンアウト部品１Ｃは、上記実施形態のコネクタ３０に代えて、複数のコネクタ３５を備えている。コネクタ３５は単芯コネクタであり、複数のシングルコアファイバ１１の他端部をそれぞれ保持する。各コネクタ３５は、複数のアダプタのうち対応するアダプタに挿入される。複数のアダプタは、例えばパッケージ６０の側壁６２に取り付けられる。
【００４０】
本変形例のように、複数のシングルコアファイバ１１の他端部は、それぞれ単芯コネクタによって保持されても良い。このような形態であっても、上記実施形態の効果を好適に奏することができる。
【００４１】
本発明によるファンアウト部品は、上述した実施形態に限られるものではなく、他に様々な変形が可能である。例えば、上記実施形態では複数のシングルコアファイバ１１およびクラッドモード光放出部１３がパッケージ６０に収容されているが、パッケージは必須ではない。
【符号の説明】
【００４２】
１Ａ〜１Ｃ…ファンアウト部品、１０…ファイバ群、１１…シングルコアファイバ、１１ａ…コア、１１ｂ…クラッド、１１ｃ…溝、１２…ファイババンドル、１３，１５…クラッドモード光放出部、１３ａ…巻回部分、１４…被覆、２０，３０…コネクタ、２１…筐体、２２…フェルール、２２ａ…端面、２３…孔、２３ａ…細径部、２３ｂ…太径部、２３ｃ…中間部、２４…接着剤、３０…コネクタ、３２…フェルール、３３…孔、３５…コネクタ、４０，５０…アダプタ、４１，４２，５１，５２…開口、６０…パッケージ、６１，６２…側壁、７１…マルチコアファイバ、７１ａ…コア、７１ｂ…クラッド、７２…フェルール、７３…孔、７４…接着剤。
【図１】
2016061944.tif 000003
【図２】
2016061944.tif 000004
【図３】
2016061944.tif 000005
【図４】
2016061944.tif 000006
【図５】
2016061944.tif 000007
【図６】
2016061944.tif 000008
【図７】
2016061944.tif 000009
【図８】
2016061944.tif 000010
【図９】
2016061944.tif 000011